(57)【要約】      （修正有）【課題】角度決定機能を有し、ノートパソコンの本体及びスクリーンの連結に応用され、スクリーンに異なる角度の視角を提供するために使用される回転装置を提供する。【解決手段】固定部材１０と、回転部材３０と、複数の摩擦シート４０とを備える。固定部材は本体に螺着され、且つ第一位置決め部材１１を有する。摩擦部材２０は固定部材に固定される。回転部材はスクリーンに連結され、且つ固定部材と摩擦部材との間に覆設されると共に固定部材及び摩擦部材に対して回転を行う。回転部材は第二位置決め部材を有し、第一位置決め部材及び第二位置決め部材が接合される際に角度決定機能を提供する。複数の摩擦シートは少なくとも１つの上へ回転する摩擦シート４１及び少なくとも１つの下へ回転する摩擦シート４２を含み、上へ回転する摩擦シートは摩擦部材と回転部材との間に設置されると共に摩擦部材及び回転部材に接触され、下へ回転する摩擦シートは回転部材と固定部材との間に設置されると共に回転部材及び固定部材に接触される。【選択図】図２
0003210150.tif 000002
【実用新案登録請求の範囲】
【請求項１】
角度決定機能を有し、ノートパソコンの本体及びスクリーンの連結に応用される回転装置であって、前記回転装置は、
前記本体に螺着され、且つ第一位置決め部材を有する固定部材と、
固定部材に固定される摩擦部材と、
前記スクリーンに連結され、且つ固定部材と摩擦部材との間に覆設されると共に固定部材及び摩擦部材に対して回転を行い、第二位置決め部材を有し、第一位置決め部材及び第二位置決め部材が接合される際に角度決定機能を提供する回転部材と、
少なくとも１つの上へ回転する摩擦シート及び少なくとも１つの下へ回転する摩擦シートを含み、上へ回転する摩擦シートは摩擦部材と回転部材との間に設置されると共に摩擦部材及び回転部材に接触され、下へ回転する摩擦シートは回転部材と固定部材との間に設置されると共に回転部材及び固定部材に接触される複数の摩擦シートとを少なくとも備えることを特徴とする回転装置。
【請求項２】
前記第一位置決め部材は凹溝であり、第二位置決め部材は止め棒であり、止め棒及び凹溝が係合されることにより止め棒が凹溝内で滑動することを特徴とする、請求項１に記載の回転装置。
【請求項３】
前記固定部材は盤状台座であり、固定部材の中部には環状の収容溝が開設され、収容溝の中部には円形の固定用収納溝が開設され、収容溝と固定用収納溝との間には前記第一位置決め部材が設置され、摩擦部材は下に向けて陥没する盤状の底部及び底部の辺縁から外に向けて延伸されるように形成される延伸部を有し、底部は固定用収納溝内に固定されるように納置され、延伸部は収容溝内に納置されることを特徴とする、請求項１に記載の回転装置。
【請求項４】
前記収容溝の辺縁には複数の第一収容溝が開設され、回転部材は下に向けて陥没する盤状のベースを有し、ベースの中部には退却溝が開設され、ベースには複数の第二収容溝が開設され、上へ回転する摩擦シートは第二収容溝内に設置され、下へ回転する摩擦シートは第一収容溝内に設置されることを特徴とする、請求項３に記載の回転装置。
【請求項５】
摩擦リングを更に備え、摩擦リングには凸部が突出するように形成され、固定部材は固定用収納溝の外縁に環状の開放溝が開設され、開放溝には内に向ける固定用溝が開設され、摩擦リングは開放溝内に納置されると共に退却溝に延出され、凸部は固定用溝内に固持されることを特徴とする、請求項４に記載の回転装置。
【請求項６】
下へ回転する摩擦シートと第一収容溝との間に納置される複数のソフトガスケットを更に備えることを特徴とする、請求項４に記載の回転装置。
【考案の詳細な説明】
【技術分野】
【０００１】
本考案は、回転装置に関し、更に詳しくは、角度決定機能を有する回転装置に関する。
【背景技術】
【０００２】
光学技術及び半導体技術の進歩に伴い、液晶表示装置が電子装置の表示装置として広く応用されている。液晶表示器は、高画質、小体積、軽量、低電圧での駆動、低消費電力、及び応用範囲が広い等の長所を有する。故に、ノートパソコン、デスクトップパソコンの表示器等の家電製品やコンピューター製品に広く応用され、表示器の主流となっている。
【０００３】
一般的には、ノートパソコンの液晶表示器はノートパソコンの上蓋の中に固定される。ノートパソコンを使用する場合、上蓋を開けて、その上に装設される液晶表示器を露出させる。上蓋とパソコン本体との間は回転軸により連結される。よって、ノートパソコンの液晶表示器は、使用者の需要に応じて上蓋の角度を調整することで液晶表示器の角度が調整できる。
【考案の概要】
【考案が解決しようとする課題】
【０００４】
しかしながら、前述した従来のスクリーンでは、すなわち、スクリーンは左右に回転する機能を有するが、液晶表示スクリーンの使用時に揺れる現象が発生し、スクリーンが使用時に不安定になる問題が生じた。このため、スクリーンの回転後に、スクリーンの角度を有効に固定させ、使用者が安定して入力及び表示が行える環境を提供できるノートパソコンの設計を、製造メーカ及び使用者が共に求めていた。
【０００５】
そこで、本考案者は上記の欠点が改善可能と考え、鋭意検討を重ねた結果、合理的設計で上記の課題を効果的に改善する本考案の提案に到った。
【０００６】
本考案は、以上の従来技術の課題を解決する為になされたものであり、回転装置を提供することを主目的とする。すなわち、従来の技術に存在する欠点及び不足に対して、角度決定機能を有する回転装置を提供し、ノートパソコンの使用者が安定的に入力及び表示を行える環境を提供する。
【課題を解決するための手段】
【０００７】
上述した課題を解決し、上記目的を達成するための本考案は、本考案に係る回転装置は、角度決定機能を有し、ノートパソコンの本体及びスクリーンの連結に応用される。前記回転装置は、固定部材と、回転部材と、複数の摩擦シートとを備える。固定部材は前記本体に螺着され、且つ第一位置決め部材を有する。摩擦部材は固定部材に固定される。回転部材は前記スクリーンに連結され、且つ固定部材と摩擦部材との間に覆設されると共に固定部材及び摩擦部材に対して回転を行う。前記回転部材は第二位置決め部材を有し、第一位置決め部材及び第二位置決め部材が接合される際に角度決定機能を提供する。複数の摩擦シートは少なくとも１つの上へ回転する摩擦シート及び少なくとも１つの下へ回転する摩擦シートを含み、上へ回転する摩擦シートは摩擦部材と回転部材との間に設置されると共に摩擦部材及び回転部材に接触され、下へ回転する摩擦シートは回転部材と固定部材との間に設置されると共に回転部材及び固定部材に接触される。
【考案の効果】
【０００８】
上述したように、本考案に係る回転装置は、固定部材と、摩擦部材と、回転部材と、複数の摩擦シートとを備える。固定部材は前記本体に螺着され、且つ第一位置決め部材を有する。摩擦部材は固定部材に固定される。回転部材は前記スクリーンに連結され、且つ固定部材と摩擦部材との間に覆設されると共に固定部材及び摩擦部材に対して回転を行う。前記回転部材は第二位置決め部材を有し、第一位置決め部材及び第二位置決め部材が接合される際に角度決定機能を提供する。これにより、液晶スクリーンに異なる角度の視角が提供される。
【図面の簡単な説明】
【０００９】
【図１】本考案に係る回転装置を説明する外観斜視図である。
【図２】図１に示す回転装置を説明する展開図である。
【図３】図１に示す回転装置を説明する縦方向の断面図である。
【図４】図３に示す回転装置を説明する部分の断面図である。
【図５】図３に示す回転装置を説明する他の部分の断面図である。
【考案を実施するための形態】
【００１０】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【実施形態】
【００１１】
まず、本考案に係る回転装置の実施形態について、図１乃至図５面を参照しながら説明する。本考案に係る回転装置１００は、角度決定機能を有し、ノートパソコンの本体及びスクリーンの連結に応用される。前記回転装置１００は、固定部材１０と、摩擦部材２０と、回転部材３０と、複数の摩擦シート４０とを備える。本考案に係る回転装置１００の好ましい実施形態において、１８０度の回転機能を有し、回転方向２００はＺ軸の周りを回る回転方式であり、その機能はノートパソコンの液晶スクリーンの回転方向を異なる角度で回転させ、異なる角度の視角を提供する。
【００１２】
前記固定部材１０は前記本体に螺着され、且つ第一位置決め部材１１を有する。本実施形態における第一位置決め部材１１の好ましい実施形態は凹溝である。具体的には、固定部材１０は盤状台座であり、固定部材１０の中部には環状の収容溝１２が開設され、収容溝１２の底部の辺縁には複数の第一収容溝１２１が更に開設され、収容溝１２の中部には円形の固定用収納溝１３が開設される。収容溝１２と固定用収納溝１３との間には第一位置決め部材１１が設置され、即ち、半円の環状凹溝であり、液晶スクリーンに０〜１８０度の異なる角度の視角を提供する。固定部材１０は固定用収納溝１３の外縁に環状の開放溝１４が開設され、開放溝１４には内に向ける固定用溝１４１が開設される。
【００１３】
前記摩擦部材２０は円盤状を呈し、固定部材１０に固定される。具体的には、摩擦部材２０は固定部材１０の固定用収納溝１３内にねじで固定され、且つ摩擦部材２０と固定用収納溝１３との間には隙間が残される。摩擦部材２０は下に向けて陥没する盤状の底部２１及び底部２１の辺縁から外に向けて延伸されるように形成される延伸部２２を有し、底部２１は固定用収納溝１３内に固定されるように納置され、延伸部２２は収容溝１２内に納置される。
【００１４】
前記回転部材３０は前記スクリーンに連結され、且つ固定部材１０と摩擦部材２０との間に納置されると共に固定部材１０及び摩擦部材２０に対して回転を行う。前記回転部材３０は第二位置決め部材３１を有し、第一位置決め部材１１及び第二位置決め部材３１が接合される際に角度決定機能を提供する。本実施形態における第二位置決め部材３１の好ましい実施形態は止め棒である。止め棒は凹溝に係合されると共に止め棒が凹溝内で滑動し、止め棒にはストッパー用クッションカバー７０が覆設されて、止め棒が凹溝の側壁に衝突する際の衝撃の緩衝に用いられ、衝撃音も低減させる。回転部材３０は下に向けて陥没する盤状のベース３２を有し、ベース３２の中部には退却溝３３が開設され、ベース３２には複数の第二収容溝３４が開設される。
【００１５】
複数の摩擦シート４０は少なくとも１つの上へ回転する摩擦シート４１及び少なくとも１つの下へ回転する摩擦シート４２を備える。上へ回転する摩擦シート４１は摩擦部材２０と回転部材３０との間に設置されると共に摩擦部材２０及び回転部材３０に接触され、下へ回転する摩擦シート４２は回転部材３０と固定部材１０との間に設置されると共に回転部材３０及び固定部材１０に接触される。具体的には、上へ回転する摩擦シート４１は第二収容溝３４内に設置され、下へ回転する摩擦シート４２は第一収容溝１２１内に設置される。
【００１６】
本考案に係る回転装置１００は、摩擦リング５０及び複数のソフトガスケット６０を更に備える。摩擦リング５０には凸部５１が突出するように形成され、摩擦リング５０は開放溝１４内に納置されると共に退却溝３３に延出され、凸部５１は固定用溝１４１内に固持される。ソフトガスケット６０は下へ回転する摩擦シート４２と第一収容溝１２１との間に納置され、異なる硬度のソフトガスケット６０が選択されることにより、回転部材３０の回転時のトルクに影響を与える。ソフトガスケット６０が硬い場合はトルクが大きく、ソフトガスケット６０が軟らかい場合はトルクが小さい。様々な需要に応じて適合する硬度のソフトガスケット６０が選択可能である。また、固定部材１０、摩擦部材２０、及び回転部材３０は回転過程において、その平坦性に変形量が存在し、外力により回転部材３０が回転されると、ソフトガスケット６０は変形量を減少させ、回転部材３０がスムーズに回転するようにし、固定部材１０、摩擦部材２０、及び回転部材３０の回転時の変形量を低下させる。
【００１７】
図１乃至図５を示すように、本考案に係る回転装置１００の装設では、固定部材１０が本体に螺着され、回転部材３０がスクリーンに連結され、摩擦部材２０が固定部材１０の固定用収納溝１３内にねじで固定され、且つ摩擦部材２０と固定用収納溝１３との間には隙間が残される。摩擦リング５０は開放溝１４内に納置されると共に退却溝３３に延出され、凸部５１は固定用溝１４１内に固持される。回転部材３０は固定部材１０と摩擦部材２０との間に納置されると共に固定部材１０及び摩擦部材２０に対して回転を行い、摩擦部材２０の底部２１は固定用収納溝１３内に固定されるように納置され、延伸部２２は第一収容溝１２１内に納置される。摩擦部材２０の延伸部２２の下表面が摩擦リング５０に接触されることにより回転時に摩擦が生じ、滑るのを防止させる。上へ回転する摩擦シート４１は摩擦部材２０と回転部材３０との間に設置されると共に摩擦部材２０及び回転部材３０に接触され、下へ回転する摩擦シート４２は回転部材３０と固定部材１０との間に設置されると共に回転部材３０及び固定部材１０に接触される。具体的には、上へ回転する摩擦シート４１は第二収容溝３４内に設置され、下へ回転する摩擦シート４２は第一収容溝１２１内に設置される。止め棒が凹溝に係合されると共に止め棒が凹溝内で滑動することにより液晶スクリーンに０〜１８０度の異なる角度の視角を提供する。止め棒にはストッパー用クッションカバー７０が覆設され、止め棒が凹溝の側壁に衝突する際の衝撃力を緩衝させ、衝撃音を低減させる。
【００１８】
以上のとおり、本考案に係る回転装置１００は、固定部材１０と、摩擦部材２０と、回転部材３０と、複数の摩擦シート４０とを備える。固定部材１０は前記本体に螺着され、且つ第一位置決め部材１１を有する。摩擦部材２０は固定部材１０に固定される。回転部材３０は前記スクリーンに連結され、且つ固定部材１０と摩擦部材２０との間に覆設されると共に固定部材１０及び摩擦部材２０に対して回転を行う。前記回転部材３０は第二位置決め部材３１を有し、第一位置決め部材１１及び第二位置決め部材３１が接合される際に角度決定機能を提供し、これにより液晶スクリーンに０〜１８０度の異なる角度の視角を提供する。
【００１９】
上述の実施形態は本考案の技術思想及び特徴を説明するためのものにすぎず、当該技術分野を熟知する者に本考案の内容を理解させると共にこれをもって実施させることを目的とし、本考案の実用新案登録請求の範囲を限定するものではない。従って、本考案の精神を逸脱せずに行う各種の同様の効果をもつ改良又は変更は、実用新案登録請求の範囲に含まれるものとする。
【符号の説明】
【００２０】
１００  回転装置
１０  固定部材
１１  第一位置決め部材
１２  収容溝
１２１  第一収容溝
１３  固定用収納溝
１４  開放溝
１４１  固定用溝
２０  摩擦部材
２１  底部
２２  延伸部
３０  回転部材
３１  第二位置決め部材
３２  ベース
３３  退却溝
３４  第二収容溝
４０  摩擦シート
４１  上へ回転する摩擦シート
４２  下へ回転する摩擦シート
５０  摩擦リング
５１  凸部
６０  ソフトガスケット
７０ ストッパー用クッションカバー
【図１】
0003210150.tif 000003
【図２】
0003210150.tif 000004
【図３】
0003210150.tif 000005
【図４】
0003210150.tif 000006
【図５】
0003210150.tif 000007